(57)【要約】【課題】  切断刃の交換を容易且つ迅速に行なうことができるとともに、切断刃の脱落やズレが生じることのない簡易な構造の切断具を提供する。【解決手段】  互いが略垂直で溝部を形成する二つの面状部４ａ，４ｂを有する本体２と、これらの面状部の間に刃先が突出する切断刃３とを備え、二つの面状部４ａ，４ｂを対象物の一辺に跨って当てながらスライド移動させることで、この辺に沿って対象物を切断することができるものであって、本体２が開閉するものであるとともに、この開閉によって見え隠れする面に切断刃３を、先細部の二辺の中間よりも先端側が外方に突出する状態で嵌合して保持する、切断刃３の被保持部分の外形と略同一の形状を含む保持凹部６を設けたことで、切断刃３を着脱不能とする使用姿勢と、切断刃３を着脱可能とする取替姿勢とを、本体２の開閉によって変更可能となものとした。【選択図】図１
2018015305.tif 000002
【特許請求の範囲】
【請求項１】
互いが略垂直で溝部を形成する二つの面状部を有する本体と、これらの面状部の間に刃先が突出する、先細部を有する切断刃とを備え、前記二つの面状部を対象物の一辺に跨って当てながらスライド移動させることで、この辺に沿って対象物を切断することができる切断具であって、
前記本体が開閉するものであるとともに、この開閉によって見え隠れする面に前記切断刃を、先細部の二辺の中間よりも先端側が外方に突出する状態で嵌合して保持する、前記切断刃の被保持部分の外形と略同一の形状を含む保持凹部を設けたことで、前記切断刃を着脱不能とする使用姿勢と、前記切断刃を着脱可能とする取替姿勢とを、前記本体の開閉によって変更可能であることを特徴とする切断具。
【請求項２】
前記保持凹部が、前記本体の開放によって表れる一方の面に、前記切断刃の厚み寸法と略同一寸法の深さで形成されてなる請求項１記載の切断具。
【請求項３】
前記保持凹部が、前記本体の開放によって表れる一方の面又は双方の面に、形状の異なるものが二以上形成されてなる請求項１又は２記載の切断具。
【請求項４】
前記保持凹部に粘着シートを設けてなる請求項１乃至３の何れか１項記載の切断具。
【請求項５】
前記切断刃を覆う安全カバーを設け、使用状態では前記安全カバーが前記本体を姿勢変更不能とするロック部材としてなる請求項１乃至４の何れか１項記載の切断具。
【請求項６】
互いが略垂直で溝部を形成する二つの面状部と、これらの面状部の間に刃先が突出するように切断刃を保持するための保持部とを備えた切断具本体であって、
開閉可能なものであるとともに、開閉することで見え隠れする面に、前記切断刃の先細部分を形成する、平行でない二辺の中間よりも先端側が外方に突出する状態で前記切断刃を嵌合して保持する保持凹部を設けてなることを特徴とする切断具本体。
【発明の詳細な説明】
【技術分野】
【０００１】
本発明は、箱体等の対象物を辺に沿って切断することができる切断具に関し、さらに詳しくは、切断刃の交換を容易としつつ、使用中の切断刃の脱落やズレを防止する簡易な構造の切断具に関する。
【背景技術】
【０００２】
従来、ダンボールや紙箱の稜線に沿って切断する箱用カッターとして、長手方向に平行な一側に断面がほぼ直角なＶ溝を有する本体と、そのＶ溝の溝底に突設されるカッターと、を具備し、そのカッターの刃部と前記溝底とが鋭角をなすように形成された箱用カッターがある（特許文献１参照）。
この箱用カッターは、二つの半割り状部材からなる本体の間にカッターを挟持して、螺子などの締結具で、二つの半割り状部材を締め付けて固定することで、カッターを所定の位置、角度に取り付けることができるものである。
【０００３】
しかし、この特許文献１記載のものは、カッターを交換する場合に、この螺子などの締結具を取り外してから二つの半割り状部材を分解してカッターを取外した後に、新しいカッターを装着し螺子で二つの半割り状部材を互いに固定して行なうこととなるため、螺子を締めるドライバーなどの工具が必要であり、迅速に行なえるものではなかった。
また、使用を継続することによって螺子などの締結具が緩むと、カッターの脱落やズレが生じ、使用者が思わぬ怪我をする可能性も考えられるものであった。
【先行技術文献】
【特許文献】
【０００４】
【特許文献１】特開平１０−１１８９７８号公報
【発明の概要】
【発明が解決しようとする課題】
【０００５】
本発明が前述の状況に鑑み解決しようとするところは、切断刃の交換を容易且つ迅速に行なうことができるとともに、切断刃の脱落やズレが生じることのない簡易な構造の切断具を提供する点にある。
【課題を解決するための手段】
【０００６】
本発明に係る切断具は、前記課題解決のために、互いが略垂直で溝部を形成する二つの面状部を有する本体と、これらの面状部の間に刃先が突出する、先細部を有する切断刃とを備え、前記二つの面状部を対象物の一辺に跨って当てながらスライド移動させることで、この辺に沿って対象物を切断することができる切断具であって、前記本体が開閉するものであるとともに、この開閉によって見え隠れする面に前記切断刃を、先細部の二辺の中間よりも先端側が外方に突出する状態で嵌合して保持する、前記切断刃の被保持部分の外形と略同一の形状を含む保持凹部を設けたことで、前記切断刃を着脱不能とする使用姿勢と、前記切断刃を着脱可能とする取替姿勢とを、前記本体の開閉によって変更可能となっているものである。
【０００７】
また、前記保持凹部が、前記本体の開放によって表れる一方の面に、前記切断刃の厚み寸法と略同一寸法の深さで形成されてなるものであってもよい。
【０００８】
さらに、前記保持凹部が、前記本体の開放によって表れる一方の面又は双方の面に、形状の異なるものが二以上形成されたものであってもよい。
【０００９】
さらにまた、前記保持凹部に粘着シートを設けてなるものであってもよい。
【００１０】
また、前記切断刃を覆う安全カバーを設け、使用状態では前記安全カバーが前記本体を姿勢変更不能とするロック部材とすることもできる。
【００１１】
さらに、互いが略垂直で溝部を形成する二つの面状部と、これらの面状部の間に刃先が突出するように切断刃を保持するための保持部とを備えた切断具本体であって、開閉可能なものであるとともに、開閉することで見え隠れする面に、前記切断刃の先細部分を形成する、平行でない二辺の中間よりも先端側が外方に突出する状態で前記切断刃を嵌合して保持する保持凹部を設けてなるものであってもよい。
【発明の効果】
【００１２】
本発明に係る切断具によれば、保持凹部が、切断刃の先細部を形成する二辺の中間よりも先端側が外方に突出する状態で、先細部の一部を含む切断刃を嵌合して保持するため、本体を閉じた使用姿勢では、切断刃の脱落やズレが生じず、安全に使用することができる。また、本体の開閉によって使用姿勢と取替姿勢とを変更することができるため、切断刃の交換を容易且つ迅速に行うことができる。
【００１３】
また、前記保持凹部が、前記本体の開放によって表れる一方の面に、前記切断刃の厚み寸法と略同一寸法の深さで形成されてなるものによると、切断刃を嵌合する位置が判別しやすく交換が更に容易となる。また、保持凹部の切断刃を保持する周縁部の強度を高くし、耐久性を向上することができる。
【００１４】
さらに、前記保持凹部が、前記本体の開放によって表れる一方の面又は双方の面に、形状の異なるものが二以上形成されてなるものであれば、切断対象物によって、切断刃の外方に突出する部分の長さや、切断刃の種類を選択することができ、目的に合わせた切断を行なうことができる。
【００１５】
さらにまた、前記保持凹部に粘着シートを設けてなるものであれば、切断刃の固定をより確実なものとすることで、より安全に使用することができる。また、切断刃の取替時には、この粘着シートで切断刃を仮固定することができ、取替作業がより容易なものとなる。
【００１６】
また、前記切断刃を覆う安全カバーを設け、使用状態では前記安全カバーが前記本体を姿勢変更不能とするロック部材としたものであれば、不使用時の安全性を向上するとともに、使用時の安全性も更に向上することができる。
【図面の簡単な説明】
【００１７】
【図１】本発明の実施形態に係る切断具の構成を示す斜視図である。
【図２】同じく切断具の構成を示す縦断面図である。
【図３】同じく切断具の切断刃を取り外した状態を示す分解斜視図である。
【図４】同じく切断具の使用方法の一例を示す拡大斜視図である。
【図５】同じく切断具の使用方法の一例を示す斜視図である。
【図６】同じく切断具にカバーを設けた状態を示す斜視図である。
【図７】同じく切断具にカバーを設けた別の状態を示す斜視図である。
【発明を実施するための形態】
【００１８】
以下、本発明の実施形態を添付図面に基づき詳細に説明するが、本発明は、添付図面に示された形態に限定されず特許請求の範囲に記載の要件を満たす実施形態の全てを含むものである。
【００１９】
本発明に係る切断具１の実施形態を、図１乃至図５に沿って説明する。
図１乃至図３に示すように、切断具１は、例えば、互いが略垂直で溝部を形成する二つの面状部４ａ，４ｂを有する本体２と、これらの面状部の間に刃先が突出する切断刃３とを備え、二つの面状部４ａ，４ｂを対象物の一辺に跨って当てながらスライド移動させることで、この辺に沿って対象物を切断することができるものであって、本体２が開閉するものであるとともに、この開閉によって見え隠れする面に切断刃３を、先細部の二辺の中間よりも先端側が外方に突出する状態で嵌合して保持する、切断刃３の被保持部分の外形と略同一の形状を含む保持凹部６を設けたことで、切断刃３を着脱不能とする使用姿勢と、切断刃３を着脱可能とする取替姿勢とを、本体２の開閉によって変更可能となっているものである。
【００２０】
ここで、互いが略垂直とは、一方の面が他方の面に対して略垂直となる関係であることをいい、この略垂直とは、垂直に近い角度であって、少なくとも８０〜１１０度程度の範囲を含む角度をいうものとする。また、開閉とは外部から見えない部分が見えるように開放される動き及びこの反対の動きをいい、例えば、夫々の少なくとも一部が接面するように組み合わされた二つの部材の一方が接面する面が開放されるように他方に対して回動するものや、二つの部材が組み合わされているものを分割するといったものも含む。略同一の形状を含むとは、一部が外方に突出するが他の部分がこの形状と略同一である形状も含まれることを意味する。
【００２１】
本体２は、平面形状を略台形とする四角柱の二つの部材２ａ，２ｂが、ヒンジ８で開閉自在に組み付けられているものである。これらの部材２ａ，２ｂが開閉することによって、外部から見え隠れする面となる内側面５ａ，５ｂに、切断刃３の取付け用の保持凹部６が設けられているため、本体２の開放によって切断刃３の取替えが可能な状態となる。一方の内側面５ａは、フラットな平面形状に形成されているが、他方の内側面５ｂには、平面の一部に切断刃３を保持するための第一の保持凹部６が形成されている。
【００２２】
第一の保持凹部６は、切断刃３を先細部の中間よりも先端側が外方に突出するように嵌合する形状となっている。この第一の保持凹部６は、切断刃３の突出側を除く部分が段落ちした凹み形状となっており、この段部が切断刃３を保持し切断刃３のズレを防止するものとなっている。特に、切断刃３の先細部を保持する二つの先端側段部６ａ，６ｂは、切断刃３の先細部に対応する形状となっているため、切断刃３の突出方向への移動を防止することができ、これによって切断刃３が脱落しないものとなっている。
【００２３】
また、この内側面５ｂには、第二の保持凹部７も設けられている。この第二の保持凹部７は、第一の保持凹部６と長手方向における中央での線対称形状に近い形状であって、第一の保持凹部６よりも更に内方（ヒンジ８側）にずらして形成されたものとなっている。このため、この第二の保持凹部７は、第一の保持凹部６よりも切断刃３を内方で保持するものとなっており、第二の保持凹部７に保持された切断刃３は、第一の保持凹部６に保持された場合よりも、外方に突出する部分が短くなり、切断対象に切り込む深さが浅くなる。
ここで、この第二の保持凹部７は、第一の保持凹部６と切断深さの異なるものとして形成されたものであるが、この他、異なる形状の切断刃を保持することができるものや、使用によって切れ難くなったときに刃先側の一部を折りとって短くすることで新たな先端部を切断に使用することができるもののために、切断刃の長さの変更に対応することができるものとしてもよい。この第二の保持凹部７は、第一の保持凹部６と同様に、二つの先端側段部７ａ，７ｂを有するため、切断刃３の脱落を防止することができる。
また、この第二の保持凹部７は、図示するように第一の保持凹部６と同じ面に形成してもよいが、第一の保持凹部６と異なる面に形成することで、切断時のスライド方向を一方向とするものとしてもよい。
【００２４】
このように本体２の内側面５ａ，５ｂは、使用姿勢では第一の保持凹部６及び第二の保持凹部７を除く全ての面が他方の面に接触することとなり、使用中の把持に対する耐圧強度を高いものとしているが、このような形状に限らず、使用姿勢で切断刃３を保持する機能を発揮する形状であればよく、例えば、第一の保持凹部６の周囲以外が他方の面に接触しないものであってもよい。
【００２５】
また、これらの保持凹部６，７は、切断刃３の厚さ寸法と略同一の深さ寸法を有するため、使用姿勢では、本体３が切断刃３を挟み込んで保持することができるものとなっている。これらの保持凹部６，７の深さ寸法は、切断刃３の厚さ寸法よりも小さいものとなると、使用姿勢であっても保持凹部６，７と切断刃３との間に隙間が生じガタツキの原因となる。このため、これらの保持凹部６，７の深さ寸法は、切断刃３の厚さ寸法以下であることが好ましく、また、切断刃３の厚さ寸法よりも若干小さいものとして形成されたものであれば、保持凹部６，７で切断刃３を強く挟持しながら保持することができるため、より好ましいといえる。
【００２６】
本体２の内側面５ａ，５ｂの自由端側には、面状部４ａ，４ｂが形成されており、これらの面状部４ａ，４ｂは、使用状態において互いが略垂直となるように構成されている。このため、図４に示すように、箱体の所定の一辺にこれらの面状部４ａ，４ｂを当接することで、この辺に沿った切断を容易に行ない得るものとなっている。ここで、これらの面状部４ａ，４ｂ間の角度は、箱体の所定の一辺に沿うことができる範囲であれば問題ないため、８０〜１１０度程度の範囲で構成することが可能であるが、箱体の所定の一辺への嵌り方及びこの辺におけるスライド移動時のブレを考慮すると、より好適となるのは約９５度である。
【００２７】
また、本体２の切断時のスライド方向における後側面は、切断時のスライド方向に対して垂直となる平面で形成されている。このため、切断時にスライド移動させるときに、使用者がこの後側面に指をかけるようにして使用することができる。また、前側面も後側面と同様に形成されているため、切断刃３を第二の保持凹部７に取り付けた場合には、この前側面に指をかけるようにしてスライド移動させることで、切断方向への力をかけ易くスムーズに切断作業を行うことができる。
【００２８】
ここで、切断具１を用いた一般的なダンボール箱Ｂの開封方法を図４及び図５に沿って説明する。
【００２９】
まず、図４に示すように、ダンボール箱Ｂの所定の一辺に二つの面状部４ａ，４ｂを当接させる。このとき、ダンボール箱Ｂに切断刃３が当たるが、切断刃３のうち刃先のみがダンボール箱Ｂに当たるように構成されているため、軽く力を加えることで刃先が容易にダンボール箱Ｂに刺すことができる。次に、切断刃３の先端がダンボール箱Ｂに刺さって状態で、二つの面状部４ａ，４ｂをダンボール箱Ｂから離間しないように、切断具１をダンボール箱Ｂの辺に沿ってスライド移動させることで、切断刃３でこの辺を切断していくことができる。
次に、図５に示すように、ダンボール箱Ｂの上面の周囲の辺を切断していくことで、ダンボール箱Ｂの上面を切り離すことができる。
なお、ダンボール箱Ｂを開放するためには、上面の周囲の三辺を切断することで、上面を蓋のように開くことができるため、必ず全ての辺を切断する必要があるわけではない。
【００３０】
図６には、カバー９を設けた切断具１を示す。このカバー９は、不使用時の切断具１に切断刃３及び面状部４ａ，４ｂを覆うように取り付けることができるものであるため、不使用時の安全性を向上することができる。
また、このカバー９は、使用時に切断具１の切断刃３の反対面に取り付けることができるものとなっているため、使用時にも切断具１に取り付けておくことで、紛失の恐れがなく、また、このカバー９によって本体２が開放不能に固定されているため、使用時の安全性もより向上することができるものとなっている。
なお、このカバー９は、本体２と着脱自在なものであることで簡易な構成でありながらも、取扱いが容易なものとなっているが、カバーとしてはこのような構成に限らず、例えば、本体２に回動自在に設けられたものであって、回動によって不使用時の切断刃３の保護と、使用時の本体２の開放不能を発揮するものであってもよい。
【００３１】
なお、本実施形態では、切断刃３として一般的なカッターの刃を用いているが、これに限らず他の平板状のものや他の工具に利用されている刃であってもよく、刃先が円錐のように立体形状であるものであってもよい。また、面状部４ａ，４ｂについても、図示するような平面の他に、曲面状に形成されたものであってもよく、これらの面に突起や凸条などが設けられたものであってもよい。さらに、本体やヒンジ、カバーの素材としては、種々のものを適宜選択することができ、また、各構成についても本実施形態に限定されるものではなく、例えば、本体とカバーを一体的なものとして構成したものとしてもよい。さらに、本体やカバーは、予備の切断刃や使用済みの切断刃を収納するための収納部を設けたものであってもよい。
【符号の説明】
【００３２】
１     切断具
２     本体
２ａ，２ｂ  本体の部材
３     切断刃
４ａ，４ｂ    面状部
５ａ，５ｂ    内側面
６     第一の保持凹部
６ａ，６ｂ    先端側段部
７     第二の保持凹部
７ａ，７ｂ    先端側段部
８     ヒンジ
９     カバー
Ｂ     ダンボール箱
【図１】
2018015305.tif 000003
【図２】
2018015305.tif 000004
【図３】
2018015305.tif 000005
【図４】
2018015305.tif 000006
【図５】
2018015305.tif 000007
【図６】
2018015305.tif 000008
【図７】
2018015305.tif 000009